(57)【特許請求の範囲】
【請求項１】
口筒部（２）とテーパー筒状の肩部（３）と筒状の胴部（４）と底部（５）を有する合成樹脂製壜体であって、
前記口筒部（２）の下端部に設けられたネックリング（２ａ）の直下から成形後の前記肩部（３）の外表面に沿って連続して半球殻状に成形され且つ表面に加飾（７）が施された肩部ラベル（６）をインサート材として嵌装組付けたプリフォーム（Ｐ）から２軸延伸ブロー成形されており、
前記胴部（４）の周壁は壜体内部の減圧化に伴って減容変形が進行可能な薄肉に形成され、前記肩部（３）は外表面に固着した前記肩部ラベル（６）で覆われることにより加飾されていることを特徴とする合成樹脂製壜体。
【請求項２】
胴部（４）の周壁を、周方向に沿って等間隔に縦姿勢の山折り状となった３本の稜線（１２）を有し、隣り合った該稜線（１２）を３ケのパネル壁（１１）で連結して構成し、該各パネル壁（１１）に一方の稜線（１２）の上端と他方の稜線（１２）の下端を対角線状に連結する谷折り状の折り目線（１３）を形成した請求項１又は２に記載の合成樹脂製壜体。
【請求項３】
肩部（３）を半球殻状、底部（５）を有底短円筒状とした請求項１又は２に記載の合成樹脂製壜体。
【請求項４】
底部（５）の底面の中央部に、底面壁を壜体の内部方向に陥没する陥没部（５ａ）を形成した請求項１乃至３のいずれか一項に記載の合成樹脂製壜体。
【請求項５】
肩部ラベル（６）は、ベースシート（６ａ）の表面側に加飾（７）を現出する印刷層（６ｂ）を積層し、該印刷層（６ｂ）を覆って保護層（６ｃ）を積層すると共に、前記ベースシート（６ａ）の裏面に接着層（６ｄ）を積層する構成とした請求項１乃至４のいずれか一項に記載の合成樹脂製壜体。
【発明の詳細な説明】
【技術分野】
【０００１】
本発明は、内部の減圧化に伴って減容変形が進行するように薄肉に形成された合成樹脂製壜体に関するものである。
【背景技術】
【０００２】
近年、価格の低減化あるいは省資源や環境の観点から、例えば洗剤や食品調味料等の多くの用途で詰替え容器の利用が進展している。普段、内容液を収納して使用する、比較的厚肉で注出口に計量機能部を付帯させる等した容器（以下、継続使用容器とする。）は継続使用するものとし、補充する内容液は安価な詰替え容器に収納し、継続使用容器に移し替えて使用する。
【０００３】
従来、この種の詰替え容器としては、例えば特許文献１に記載があるような、柔軟なシート片を重ねるようにして袋状とした、所謂、パウチ容器が多く使用されている。従来、パウチ容器から継続使用容器への内容液の詰め替えに際には、液跳ねや、液ダレ等により周囲を汚してしまうことがあったが、特許文献１に記載のあるパウチ容器は、注出口となるノズル受け部を配設し、このノズル受け部を、継続使用容器の注出ノズルに外嵌組付けして内容液を移し替えることができるようにしたものであり、内容液がノズル受け部と注出ノズルを通して詰め替えられるので、内容液の液跳ねや液ダレをなくすことができる。
【先行技術文献】
【特許文献】
【０００４】
【特許文献１】特開２００３−２６７４０３公報
【発明の概要】
【発明が解決しようとする課題】
【０００５】
ここで、上記特許文献１のパウチ容器では、ノズル受け部を継続使用容器の注出ノズルに外嵌組付けすることにより、一応その倒立姿勢を保持することが可能である。しかしながら、内容液の注出が進行するに従ってパウチ容器は、その主体部分である胴部を扁平状に減容変形させるので、倒立姿勢を安定して保持することは難しく、扁平状になった胴部で折れ曲り、バランスを失くして継続使用容器と共に転倒する恐れもあり、詰め替え中は監視しながら、あるいはある程度手で支えてやる必要があり、使い勝手がいいものとは云い難い、と云う不都合を有する。
【０００６】
この不都合を解消するものとして、詰替え容器を、全体を肉薄に成形したブロー成形壜体で構成し、減容変形時における胴部の変形が、縦方向の押し潰れ変形となるようにし、これにより折れ曲がりの発生を防止する提案がなされているが、このブロー成形製の詰替え容器は、その全体がきわめて肉薄であるがために、胴部の潰れ変形形態が不安定となり易いと共に、胴部の減容変形のし易さを阻害する恐れがあることから、法定表示等の加飾を表示するラベルの固着が難しい、と云う問題があった。
【０００７】
そこで本発明は、上記した従来技術における問題点を解消すべく創案されたもので、姿勢を保持しながら内部の減圧化に伴う胴部の減容変形のし易さを劣化させることなく要求される加飾を可能とすると共に、減容姿勢を自己保持可能とすることを技術的課題とし、もって安定して良好な減容変形動作を得、また必要とする加飾を好適に表示すると共に、良好な減容廃棄を可能とすることを目的とする。
【課題を解決するための手段】
【０００８】
上記技術的課題を解決するための、本発明の主たる構成は、
口筒部とテーパー筒状の肩部と筒状の胴部と底部を有する合成樹脂製壜体であること、
口筒部の下端部に設けられたネックリングの直下から成形後の肩部の外表面に沿って連続して半球殻状に成形され且つ表面に加飾が施された肩部ラベルをインサート材として嵌装組付けたプリフォームから２軸延伸ブロー成形されたものであること、
胴部の周壁は壜体内部の減圧化に伴って減容変形が進行可能な薄肉に形成されていること、
肩部は外表面に固着した肩部ラベルで覆われることにより加飾されていること、
にある。
【０００９】
胴部の周壁は、壜体内部の減圧化に伴って減容変形が進行可能な薄肉に形成されているので、壜体内部の減圧化に伴って、内外の圧力差により胴部は自発的にもしくは縦方向の押し潰し力に従って減容変形する。
【００１０】
上記した構成の壜体を詰替え容器として利用することを想定すると、満杯状に近く内容液を充填した上記構成の壜体を、口筒部を固定した状態で倒立姿勢にし、外気を内部に侵入させることなく一定量の内容液を口筒部から自重により注出させることができる。
【００１１】
この際、内容液の注出の進行に伴って、肩部ラベルを固着した肩部や底部はほぼ元の形状を保持しながら、薄肉に形成された胴部の周壁が潰れ状に変形し、その結果、胴部が高さ方向に縮小し、この胴部の潰れ状の変形と高さ方向の縮小により、その倒立姿勢を保持しつつ壜体の減容変形を進行させることが可能となる。
【００１２】
このため、パウチ容器のように注出に伴う容器の横倒れの心配もないので、手で支えてやる必要もなく、安心して詰替え操作を実施することができる。
【００１３】
壜体の肩部外表面に肩部ラベルを固着したので、この肩部ラベルの表面に施された法定表示等の加飾が、壜体の目立つ箇所である肩部に位置することになり、また固着された肩部ラベルが肩部に対して補強材として機能することになるので、肩部が胴部を剛的に安定して支えることになる。
【００１５】
肩部ラベルをインサートラベルとしたことから、壜体のブロー成形と同時に、壜体への肩部ラベルの固着が達成され、またこの壜体に対する肩部ラベルの固着を、密にかつ均一に達成する。
【００１６】
また、本発明の他の構成は、上記した主たる構成に加えて、胴部の周壁を、周方向に沿って略等間隔に縦姿勢の山折り状となった３本の稜線を有し、隣り合った該稜線を３ケのパネル壁で連結して構成し、この各パネル壁に一方の稜線の上端と他方の稜線の下端を対角線状に連結する谷折り状の折り目線を形成した、ものである。
【００１７】
胴部の周壁に、稜線とパネル壁と折り目線を形成したものにあっては、内容液の注出に伴って、内部と外部の圧力差により壜体の胴部全体に押圧力が作用するが、胴部の周壁の各パネル壁に傾斜状に谷折り状、すなわち陥没状に形成される３本の折り目線が、壜体の中心軸に近づくように変位して減容変形が進行する。この減容変形の際に、各パネル壁は、折り目線を起点として、折り目線に沿って折り畳まれるようにして陥没状に変形する。
【００１８】
一方、縦方向に形成される３本の山折り状の稜線は、押圧力に対して柱部としての機能を発揮するものであり、減容変形に際しては、平面的に見て、胴部の捩れ変形に伴い、捩れ角度を中心角とする「弦」を形成しながら、胴部の周壁の平断面形状を略正三角形状に保持して、胴部の減容変形状態時に、壜体の倒立姿勢を安定して真直ぐに保持するように機能する。
【００１９】
この際、各稜線は、平面的に見て、捩れ角を中心角とする「弦」を描きながら、折り目線に沿ったパネル壁の陥没変形の進行に従って、傾斜変位する。その結果、胴部の周壁が捩れ状に変形するに従い、胴部が高さ方向に縮小する。
【００２０】
また、本発明の他の構成は、上記した主たる構成において、肩部を半球殻状、底部を有底短円筒状とする、ものである。
【００２１】
肩部を半球殻状、底部を有底短円筒状とするものにあっては、肩部および底部を減圧化に伴う変形が進行し難い形状とすることにより、減圧化に伴う減容変形が胴部で優先的に進行するようにすることができ、壜体の縦方向への潰れ変形姿勢を保持しながら、減容変形をよりスムーズに進行させることができる。
【００２２】
また、本発明の他の構成は、上記した主たる構成に加えて、底部の底面の中央部に底面壁を壜体の内部方向に陥没させて形成した陥没部を形成する、ものである。
【００２３】
底部の底面の中央部に陥没部を形成するものにあっては、底部の形状を安定して維持することになり、底部の底面に押圧力を作用させて壜体を上下方向に押し潰す際、底面の形状を保持して、その陥没部により、押し潰された胴部をテーパー筒状の肩部内に押し込み易い姿勢に変形させることが可能となる。なお、この押し潰された胴部の肩部内への押し込みは、底部の周端部の局部変形を伴う強引なものとなるので、肩部と底部の間には引っ掛かりが生じることになるが、この引っ掛かりを利用して、胴部を肩部内に押し込んだ潰れ姿勢を自己保持させることが可能である。
また、本発明の他の構成は、上記した主たる構成に加えて、肩部ラベルは、ベースシートの表面側に加飾を現出する印刷層を積層し、この印刷層を覆って保護層を積層すると共に、ベースシートの裏面に接着層を積層する構成とした、ものである。
【発明の効果】
【００２４】
本発明は、上記した構成となっているので、以下に示す効果を奏する。
本発明の主たる構成にあっては、内容液の注出の進行に伴って、肩部や底部はほぼ元の形状を保持しながら、胴部の周壁が、潰れ状に変形すると共に高さ方向に縮小しながら、減容変形するので、パウチ容器のように注出に伴う容器の横倒れの心配もないので、手で支えてやる必要もなく、安心して詰替え操作を実施することができる。
【００２５】
また、壜体の肩部に、表面に加飾を施した肩部ラベルを固着したので、胴部の潰れ変形のし易さを劣化させることなく、要求される加飾を表示できると共に、肩部の剛性を適度に高めることができ、これにより適正な加飾の表示と、好ましい強度アップを得ることができる。
【００２６】
肩部ラベルをインサートラベルとしたことから、壜体のブロー成形と同時に、壜体への肩部ラベルの固着が達成され、またこの壜体に対する肩部ラベルの固着を、密にかつ均一に達成できるので、肩部ラベルの固着処理が容易であると共に、壜体に対する肩部ラベルの強固で安定した固着を簡単に得ることができる。
【００２７】
胴部の周壁に、稜線とパネル壁と折り目線を形成したものにあっては、胴部の縦方向に沿った潰れ変形が捩れ変形となるので、減容変形する胴部の姿勢が直立状に安定して維持されることになり、これにより内容液の詰替え動作を安全に達成できる。
【００２８】
肩部を半球殻状、底部を有底短円筒状とするものにあっては、肩部および底部の形状が安定して維持されるので、この肩部および底部に支えられた胴部の減容変形をよりスムーズに進行させることができ、これにより壜体の安定した減容化変形を得ることができる。
【００２９】
底部の底面の中央部に陥没部を形成するものにあっては、陥没部により、折り畳み状に押し潰された胴部を、テーパー筒状の肩部内に押し込み可能に変形させることができ、これにより壜体を十分に小さく減容化変形させることができる。
【図面の簡単な説明】
【００３０】
【図１】本発明の壜体の第一の実施形態例を示す、一部縦断した正面図である。
【図２】本発明の壜体の第二の実施形態例を示す、一部縦断した正面図である。
【図３】図２の壜体の（ａ）は側面図、（ｂ）は背面図である。
【図４】図２中のロの丸印で示した部分の、拡大断面図である。
【図５】図２中のイ−イ線に沿った、平断面図である。
【図６】本発明の壜体の成形例の説明に供する、縦断面図である。
【図７】図２の壜体を詰替え容器として継続使用容器に装着し、減容変形が進行した状態を一部縦断して示す正面図である。
【図８】図７の壜体の斜視図である。
【図９】図７の変形状態での壜体の平面図である。
【図１０】図７の状態から壜体をさらに押潰した状態を示す正面図である。
【発明を実施するための形態】
【００３１】
以下、本発明の合成樹脂製壜体の実施の形態について、実施例に沿って図面を参照しながら説明する。
【００３２】
壜体１の肩部３には、その外表面を覆って表面に法定表示等の加飾７を施した肩部ラベル６が固着されており、この肩部ラベル６は、胴部４の減容変形のし易さを損なうことなく、壜体１に対して要求される加飾７を設けることができると共に、補強材として機能して肩部３の自己形状保持能力を高めている。
【００３３】
この肩部ラベル６は、例えば図４に示すように、ベースシート６ａの表面側に加飾７を現出する印刷層６ｂを積層し、この印刷層６ｂを覆って保護層６ｃを積層し、またベースシート６ａの裏面側に接着層６ｄを積層して構成されている。
【００３４】
この肩部ラベル６の壜体１に対する固着（以下、図６参照）は、例えば壜体１に２軸延伸ブロー成形されるプリフォームＰの口筒部２の下端部に設けられたネックリング２ａの直下に、成形される肩部３の外表面に沿った半球殻状に成形された肩部ラベル６を嵌装組付けし、このプリフォームＰと肩部ラベル６の組合せ物を２軸延伸ブロー成形金型にセットして、プリフォームＰを壜体１にブロー成形することにより達成される。
【００３５】
すなわち、図６に示した例は、肩部ラベル６をインサート材として、プリフォームＰを壜体１にインサート成形することにより、壜体１の成形と同時に肩部ラベル６の強固で安定した固着を達成するようにしているのである。
【００３６】
図２〜５は本発明の壜体の第二実施例を示すものであり、図２は正面図、図３（ａ）は側面図、図３（ｂ）は背面図（図３では口筒部を図示省略している）、図４は、図２中ロ丸印で示した部分の拡大断面図、図５は図２中のイ−イ線に沿った平断面図である。
【００３７】
この壜体１は、ポリプロピレン樹脂製の２軸延伸ブロー成形品であり、口筒部２、半球殻状でテーパー筒状の肩部３、筒状の胴部４、有底短円筒状の底部５を有し、全高さ１２５ｍｍ、横幅７０ｍｍで、容量３００ｍｌの壜体である。また、底部５の底面の中央部には底面壁を壜体の内部方向に陥没させて陥没部５ａが形成されており、その周縁にはリング状の周縁部５ｐが配設されている。
【００３８】
また、胴部４の周壁には、山折状に縦方向に等間隔で３本の稜線１２（１２ａ、１２ｂ、１２ｃ）が形成されており、周壁は隣接する稜線１２を図５に見られるように平断面形状が円弧状の３ケのパネル壁１１（１１ａｂ、１１ｂｃ、１１ｃａ）で連結して構成されている。
【００３９】
また、各パネル壁１１には一方の側端に位置する稜線１２の上端部と他方の側端に位置する稜線１２の下端部を対角線状に連結する谷折状の折り目線１３（１３ａｂ、１３ｂｃ、１３ｃａ）を形成し、これら３本の折り目線１３が周方向に並列状に傾斜するようにしている（図２、３では右斜め上から左斜め下に傾斜している。）。
【００４０】
なお、変形の態様がわかり易いように、図面では稜線１２を、１２ａ、１２ｂ、１２ｃと云うように３本の稜線が区別できるように示し、図面間で相互に対応が取れるようにした。パネル壁１１と折り目線１３についても同様である。
【００４１】
ここで、３本の稜線１２は図５の平断面図に見られるように、正３角形の頂点に配置され、壜体１に作用する横方向の力に対して柱部としての機能を発揮する。また、この胴部４の周壁は、稜線１２部分を除いて、上端と下端から中央高さ位置に向けて縮径するように形成されている。
【００４２】
また、第二の実施例の壜体１では、図２に見られるように、隣接する稜線１２間の距離Ｌと稜線１２の高さＨの比である、Ｌ／Ｈの値は略１であり、折り目線１３の中心軸Ａｘに対する傾斜角度Ｄを約４５°程度としている。この傾斜角度は、壜体の形状や、内容液のスムーズな注出性に係る胴部４の周壁の減容変形の態様を考慮して、適宜に決めることができるものであるが、Ｌ／Ｈの値は０．６〜１．７の範囲（中心軸Ａｘに対する傾斜角度Ｄでは３０°〜６０°の範囲）とするのが好ましい。
【００４３】
次に、図７〜１０は、上記した第二の実施例の壜体１を詰替え容器Ａの壜体として利用した例を説明するためのもので、この説明の中で本発明の壜体１の減容変形の態様を説明する。図７は、図２の壜体１を倒立姿勢で継続使用容器Ｂに装着した状態を示す正面図、図８は図７中の減容変形した壜体１の斜視図、図９は減容変形した壜体１の平面図、そして図１０は図７の減容状態から壜体１をさらに押潰した状態を示す正面図である。
【００４４】
本例において、詰替え容器Ａは、壜体１と、この壜体１の口筒部２に装着される結合蓋２０から構成されている。結合蓋２０は、壜体１の口筒部２に螺合状に組付き固定する組付き筒２１を有し、組付き筒２１の頂壁の開口縁から円筒状の嵌合筒２２が起立設され、この嵌合筒２２の上端開口部には係合周条２３を利用して、図中二点鎖線で示されるように中栓２４が配設されている。
【００４５】
一方、継続使用容器Ｂは、容器本体３０、容器本体３０の口筒３１に液密状に組付き固定する本体キャップ４０、そして押上げ体４８から構成されている。本体キャップ４０は、容器本体３０の口筒３１内に嵌入する嵌入筒４１を有し、この嵌入筒４１の底板４２には注出開口４３が形成され、その開口縁からは前述した結合蓋２０の嵌合筒２２に外嵌する平断面形状がＣ状の注出筒片４４が起立設されている。
【００４６】
また、押上げ体４８はリング状の組付きリング５１を有し、この組付きリング５１から軸対称の位置に２本の梁片５０を水平状に延設し、その先端から押上げ片４９を起立設したものであり、本体キャップ４０の注出筒片４４の内周面に周設された結合リブ４７を利用して注出筒片４４内部に組付き固定し開口Ｋを形成する。
【００４７】
そして、内容液（図示省略）を略充満した壜体１に結合蓋２０を装着した詰替え容器Ａを倒立姿勢として、結合蓋２０の嵌合筒２２を継続使用容器Ｂの本体キャップ４０の注出筒片４４に嵌入する。この際、押上げ体４８の押上げ片４９により中栓２４が嵌合筒２２内に押上げられて開口Ｋが形成され、この開口Ｋ、さらに注出開口４３を通して壜体１内の内容液が自重により継続使用容器Ｂの容器本体３０内に流入する。
【００４８】
次に、上記した継続使用容器Ｂへの内容液の詰め替えの進行、すなわち壜体１からの内容液の注出に伴う壜体1の減容変形について説明する。
【００４９】
概略的にみると、壜体１からの内容液の注出の進行に伴って、図７〜９に示されるように、肩部３や底部５はほぼ元の形状を保持しながら、比較的薄肉に形成され、陥没変形の起点となる折り目線１３の形成された胴部４の周壁が、捩れ状に変形すると共に高さ方向に縮小しながら、図７中二点鎖線で示した初期の形状からその倒立姿勢を略真直ぐに保持しつつ壜体１の減容変形が進行する。
【００５０】
ここで、底部５は、壜体の中心軸Ａｘ回りに口筒部２に対して相対的に回動変位する（図８、９中の白抜き矢印参照）と共に下降変位する。なお、図７、８、９に示した状態では、底部５は口筒部２に対して６０°程度回動している。
【００５１】
また、壜体１の初期の形状では図４、５に示されるように肩部３の下端部及び底部５の平面形状は円形であるが、図９の状態では捻り変形に伴う力が作用して、それぞれが３本の稜線１２の上端を頂点とした三角形あるいは下端を頂点とした三角形に近い形状に変化している。この三角形状は、四角形状やさらなる多角形状に比較して横方向の力が作用しても扁平に変形し難く、壜体１の倒立姿勢を安定して保持することが可能となる。
【００５２】
さらに、上記した注出の進行に伴う壜体１の各構成要素の減容変形の態様は次のようである。内部の減圧化が進行すると、胴部４の周壁全体に押圧力が作用するが、肩部３は肩部ラベル６の固着により機械的に剛性が補強されており、底部５は胴部４に比較して厚肉であるので、胴部４を構成している比較的薄肉で陥没変形の起点となる谷折り状の折り目線１３が形成された各パネル壁１１に陥没変形が進行する。
【００５３】
この際、３本の折り目線１３は、壜体１の中心軸Ａｘに近づくように変位し、各パネル壁１１は各折り目線１３を起点として、各折り目線１３に沿って折り畳まれるようにして陥没状に変形する。図９の平面図には、口筒部２の開口部を通して、３本の折り目線１３ａｂ、１３ｂｃ、１３ｃａが中心軸Ａｘに近接した様子が見られる。
【００５４】
一方、縦方向に形成される３本の山折り状の稜線１２ａ、１２ｂ、１２ｃは、各パネル壁１１の陥没変形に従って、例えば図８中の稜線１２ｂ、１２ｃに明確に示されるように傾斜状に変位するが、図９中に示されるように、平面的に見ると胴部４の捩れ角を中心角とした「弦」として位置し、その両端を略円形を保持している肩部３の下端縁部および底部５の周縁部５ｐに位置させており、減容変形状態においても壜体１に横方向から作用する力に対して、倒立姿勢を安定して保持する柱部として機能を発揮する。
【００５５】
そして、各稜線１２ａ、１２ｂ、１２ｃの変位により、底部５が壜体１の中心軸Ａｘ回りに口筒部２に対して相対的に回動変位する捩り変形が進行すると共に、底部５の下降変位が進行する。
【００５６】
なお、図９からも分かるように、内容液の注出がさらに進行すると３本の稜線１２ａ、１２ｂ、１２ｃがその中央高さ位置近傍で相互に当接し、まだ肩部３から口筒部２にかけての部分に内容液を残した状態で内容液の自重による注出は一端停止するが、この壜体１は全体として薄肉に形成されているので、底部５に図１０中の白抜き矢印の方向に押圧力を強制的に作用させることにより、壜体１を図１０中に示されように容易に押し潰すことができ、内容液を略全量注出することができる。
【００５７】
また、図９では底部５が口筒部２に対して６０°程度回動した状態が示されているが、図１０のように胴部４全体を押し潰す際には、強制的に１２０°程度まで回動させ、胴部４全体を折り畳み状に十分に押し潰して底部５と一緒に半球殻状の肩部３の中に埋め込むようにして、廃棄することができる。なお、胴部４を１２０°程度まで強制的に回動変位させた状態では、胴部４の折り畳み状変形に影響されて、肩部３および底部５の周端縁部が、図９中点線図示した正三角形に類似した形状に変形する傾向が現れる。
【００５８】
この場合、底部５が肩部３に十分に接近するまで胴部４を押し潰した状態では、底部５の陥没部５ａが折り畳み状に変形している胴部４の中央部分に対して、肩部３内に向う押込み力を作用させることになるので、底部５は折り畳まれた胴部４を撓み変形させながら弾性変形して肩部３の下端部に強引に嵌入することが可能であり、それゆえこの状態での底部５の肩部３に対する引っ掛かりを利用して、図１０に示した押し潰し状態を自己保持させることが可能となる。
【００５９】
他方、継続使用容器Ｂの押上げ体４８により形成される開口Ｋの開口面積を大きくしておけば、上記のように内容液の自重による注出が一端停止した後、壜体１の内外の圧力差により開口Ｋを通して外気を気泡として壜体１内に進入させることができ、上記のように押圧力を強制的に作用させることなく残りの内容液を注出することもできる。なお、この場合も内容液を注出した後は、前述したように押圧力を強制的に作用させて押し潰した状態で廃棄することができる。
【００６０】
以上、実施例に沿って本願発明の壜体の実施の形態、およびその作用効果を説明したが、本願発明はこれら実施例に限定されるものではない。例えば、上記実施例では底部５の底面の形状を円形としているが、図５に示される胴部４の平断面形状と同様に三角状にすることもできる。
【００６１】
また、壜体１の容量は３００ｍｌ程度のものに限定されるものではないし、ポリプロピレン樹脂製の２軸延伸ブロー成形の壜体に限らず、ＰＥＴ樹脂製の２軸延伸ブロー成形壜体、あるいはポリエチレン樹脂製のダイレクトブロー成形壜体と、さまざまな樹脂製のブロー成形品を使用することができる。
【００６２】
また、上記実施例では詰替え容器として利用する例を説明したが、本発明の壜体は前述したように使用後は高さ方向に十分に押し潰して、その押し潰し形状を維持した状態で廃棄可能なものであり、省資源、易廃棄性、そして肩部ラベルの補強作用に伴う肩部付近でのハンドリング性の向上と云う特徴を生かして、通常の収納容器としての壜体単体としても使用することができる。
【産業上の利用可能性】
【００６３】
本発明の合成樹脂製壜体は上記説明したように、内部に発生した減圧に従って容易に減容変形すべく十分に肉薄にブロー成形された合成樹脂製壜体において、胴部の減容変形のし易さを劣化させることなく加飾を適正に施すことができるものであり、また壜体の肩部を剛的に補強して胴部の減容変形を安定的に行わせるので、商品としての詰替え容器等の用途で幅広い利用展開が期待される。
【符号の説明】
【００６４】
１  ；壜体
２  ；口筒部
２ａ；ネックリング
３  ；肩部
４  ；胴部
５  ；底部
５ａ；陥没部
５ｐ；周縁部
６  ；肩部ラベル
６ａ；ベースシート
６ｂ；印刷層
６ｃ；保護層
６ｄ；接着層
７  ；加飾
１１（１１ａｂ、１１ｂｃ、１１ｃａ）；パネル壁
１２（１２ａ、１２ｂ、１２ｃ）；稜線
１３（１３ａｂ、１３ｂｃ、１３ｃａ）；折り目線
Ｐ  ；プリフォーム
Ａ  ；詰替え容器
２０；結合蓋
２１；組付き筒
２２；嵌合筒
２３；係合周条
２４；中栓
Ｂ  ；継続使用容器
３０；容器本体
３１；口筒
４０；本体キャップ
４１；嵌入筒
４２；底板
４３；注出開口
４４；注出筒片
４７；係合リブ
４８；押上げ体
４９；押上げ片
５０；梁片
５１；組付きリング
Ｋ  ；開口
【図１】
0005557138.tif 000002
【図２】
0005557138.tif 000003
【図３】
0005557138.tif 000004
【図４】
0005557138.tif 000005
【図５】
0005557138.tif 000006
【図６】
0005557138.tif 000007
【図７】
0005557138.tif 000008
【図８】
0005557138.tif 000009
【図９】
0005557138.tif 000010
【図１０】
0005557138.tif 000011